(57)【要約】【課題】収納容器から収納品を容易に出し入れできる床下収納装置を提供する。【解決手段】昇降機構３０は、４つの収納容器１１、１２、１３、１４のうち交差部分１９に移動させてきた収納容器を上下方向に運搬するためのものである。この昇降機構３０によって、床下にある複数の収納容器１１、１２、１３、１４を選択的に床まで上げることができるので、使い勝手の良い床下収納装置１０となる。昇降機構３０は、１つの収納容器が載置される矩形の載置台３２と、この載置台３２を吊り下げる紐状部材３４、３６などが備えられている。紐状部材３４、３６はチェーンやワイヤなどであり、後述する駆動ユニット４０によって紐状部材３４、３６を動かすことにより載置台３２を昇降させる。【選択図】図２
2008266914.tif 000002
【特許請求の範囲】
【請求項１】
床下に形成されて互いに交差する第１移動路及び第２移動路それぞれを自在に移動する複数の収納容器と、
前記第１移動路と前記第２移動路が交差する交差部分に配置された、該交差部分に位置する前記収納容器を昇降させる昇降機構とを備えたことを特徴とする床下収納装置。
【請求項２】
前記収納容器は、
床を構成する複数の根太のうち互いに隣接するものの間隔よりも狭い幅をもつものであることを特徴とする請求項１に記載の床下収納装置。
【請求項３】
前記第１移動路及び前記第２移動路は、
互いに直交して真っ直ぐに延びるものであることを特徴とする請求項１又は２に記載の床下収納装置。
【請求項４】
前記昇降機構は、
１つの前記収納容器が載置される載置台と、
該載置台を吊り下げる紐状部材と、
該紐状部材を動かすことにより前記載置台を昇降させる駆動ユニットとを備えたものであることを特徴とする請求項１、２、又は３に記載の床下収納装置。
【請求項５】
前記載置台は、矩形のものであり、
前記紐状部材は、その一部分が前記載置台の矩形の四隅に固定されたものであり、
前記駆動ユニットは、前記紐状部材の前記一部分を上下動させることにより前記載置台を昇降させるものであることを特徴とする請求項４に記載の床下収納装置。
【発明の詳細な説明】
【技術分野】
【０００１】
本発明は、複数の収納容器が床下に配置された床下収納装置に関する。
【背景技術】
【０００２】
床下を有効に利用するために、食料品などを収納しておく収納容器を床下に配置しておくことがある。多くの収納容器（又は、大きなサイズの収納容器）を床下に配置しておくほど収納量は多くなるが、収納品を出し入れすることが不便になるおそれがある。そこで、４つの収納容器を一体となって移動させて、いずれかの収納容器を床開口の真下に位置させて収納品を出し入れする床下収納装置が知られている（例えば、特許文献１参照。）。
【特許文献１】特開２００５−３３６９３１号公報
【発明の開示】
【発明が解決しようとする課題】
【０００３】
上記の床下収納装置では、床下に手を差し込んで収納品を出し入れすることとなる。また、４つの収納容器を一体として移動させるので、この移動に力を要することがある。
【０００４】
本発明は、上記事情に鑑み、収納容器から収納品を容易に出し入れできる床下収納装置を提供することを目的とする。
【課題を解決するための手段】
【０００５】
上記目的を達成するための本発明の床下収納装置は、
（１）床下に形成されて互いに交差する第１移動路及び第２移動路それぞれを自在に移動する複数の収納容器と、
（２）前記第１移動路と前記第２移動路が交差する交差部分に配置された、該交差部分に位置する前記収納容器を昇降させる昇降機構とを備えたことを特徴とするものである。
【０００６】
ここで、
（３）前記収納容器は、床を構成する複数の根太のうち互いに隣接するものの間隔よりも狭い幅をもつものであってもよい。
【０００７】
また、
（４）前記第１移動路及び前記第２移動路は、互いに直交して真っ直ぐに延びるものであってもよい。
【０００８】
さらに、
（５）前記昇降機構は、
（５―１）１つの前記収納容器が載置される載置台と、
（５−２）該載置台を吊り下げる紐状部材と、
（５−３）該紐状部材を動かすことにより前記載置台を昇降させる駆動ユニットとを備えたものであってもよい。
【０００９】
さらにまた、
（６）前記載置台は、矩形のものであり、
（７）前記紐状部材は、その一部分が前記載置台の矩形の四隅に固定されたものであり、
（８）前記駆動ユニットは、前記紐状部材の前記一部分を上下動させることにより前記載置台を昇降させるものであってもよい。
【発明の効果】
【００１０】
本発明によれば、床下に形成された第１移動路及び第２移動路それぞれに複数の収納容器を移動させるので、床下を有効に利用できる。また、収納容器と昇降機構とは別々のものであるので、これらの保守点検作業が容易となる。さらに、昇降機構によって収納容器を床に上げられるので使い勝手の良い床下収納装置となる。
【発明を実施するための最良の形態】
【００１１】
本発明は、複数の収納容器を備えた床下収納装置に実現された。
【実施例１】
【００１２】
図１を参照して、本発明の床下収納装置の収納容器について説明する。
【００１３】
図１（ａ）は、４つの収納容器を示す上面図であり床などは示しておらず、（ｂ）は、（ａ）の斜視図である。
【００１４】
床下収納装置１０は、４つの直方体状の収納容器１１、１２、１３、１４を備えている。各収納容器１１、１２、１３、１４の底面の四隅にはそれぞれ車輪１１ａ、１２ａ、１３ａ、１４ａが取り付けられている。収納容器１１、１３には、矢印Ａ方向及びその反対方向に自在に移動できるように車輪１１ａ、１３ａが取り付けられており、収納容器１２、１４には、矢印Ｂ方向及びその反対方向に自在に移動できるように車輪１２ａ、１４ａが取り付けられている。また、４つの収納容器１１、１２、１３、１４が置かれている面には、上記の車輪１１ａ、１３ａを矢印Ａ方向及びその反対方向に案内するガイド溝１６と、上記の車輪１２ａ、１４ａを矢印Ｂ方向及びその反対方向に案内するガイド溝１８とが配置されている。なお、車輪１１ａ、１２ａ、１３ａ、１４ａには、ガイド溝１６、１８を清掃するブラシ（図示せず）等が取り付けられている。
【００１５】
上記の例では、矢印Ａ方向及びその反対方向に移動できる２つの収納容器１１、１３を示したが、３つ以上の収納容器を配置してもよい。この場合、ガイド溝１６は、収納容器の数に応じて長くなる。収納容器１２、１４についても同様である。また、上記したガイド溝１６、１８が本発明にいう第１移動路，第２移動路に相当し、これら２組のガイド溝１６、１８は互いに直交して真っ直ぐに延びている。
【００１６】
床は、周知のように、床面に平行に延びる複数本の根太などから構成されている。上記の各収納容器１１、１２、１３、１４は、複数本の根太のうち互いに隣接する根太２０、２２（図２参照）の間隔よりも狭い幅をもつ。従って、後述するように、各収納容器１１、１２、１３、１４は根太２０、２２の間を通過して昇降されることとなる。
【００１７】
２本のガイド溝１６、１８が交差する交差部分１９には、この交差部分１９に位置する収納容器を昇降させる昇降機構３０が配置されている。この昇降機構３０について、図２と図３を参照して説明する。
【００１８】
図２は、昇降機構を示す斜視図である。図３は、載置台が昇降している状態を示す側面図である。
【００１９】
昇降機構３０は、４つの収納容器１１、１２、１３、１４のうち交差部分１９に移動させてきた収納容器を上下方向（矢印Ｄ方向及びその反対方向）に運搬するためのものである。この昇降機構３０によって、床下にある複数の収納容器１１、１２、１３、１４を選択的に床まで上げることができるので、使い勝手の良い床下収納装置１０となる。昇降機構３０は、１つの収納容器が載置される矩形の載置台３２と、この載置台３２を吊り下げる紐状部材３４、３６などが備えられている。紐状部材３４、３６はチェーンやワイヤなどであり、後述する駆動ユニット４０によって紐状部材３４、３６を動かすことにより載置台３２を昇降させる。
【００２０】
駆動ユニット４０について説明する。
【００２１】
駆動ユニット４０は、チェーンからなる紐状部材３４が掛け渡されているスプロケット４２、４４、４６、４８、及びチェーンからなる紐状部材３６が掛け渡されているスプロケット５２、５４、５６、５８を備えている。２つのスプロケット４２、５２は、一本の回転軸６０に所定間隔離れて固定されている。スプロケット４２、５２の間隔は、収納容器１１等の幅よりもやや広い。回転軸６０の長手方向一端部には、この回転軸６０を回転させるモータ６２が配置されている。モータ６２が駆動することにより回転軸６０が回転し、この回転に伴ってスプロケット４２、５２も回転する。モータ６２は根太２２に固定されており、この根太２２には、載置台３２を検知する検知センサ６４も固定されている。なお、各スプロケット４２、４４、４６、４８、５２、５４、５６、５８は、危険防止のために安全カバー（図示せず）で覆われている。
【００２２】
各スプロケット４２、４４、４６、４８、５２、５４、５６、５８は、矩形の載置台３２の四隅に相当する位置よりもやや外側に配置されている。スプロケット４２、５２は支持具４２ａ、５２ａを介して根太２２に回転自在に固定されている。スプロケット４２、５２の真下の位置にはスプロケット４４、５４が配置されている。これらのスプロケット４４、５４は支持具４４ａ、５４ａを介して床下の柱２４に回転自在に固定されている。スプロケット４４、５４と同じ高さの位置にはスプロケット４６、５６が支持具４６ａ、５６ａを介して床下の柱２３に回転自在に固定されている。スプロケット４６、５６の真上の位置には、スプロケット４８、５８が支持具４８ａ、５８ａを介して根太２０に回転自在に固定されている。上記のように根太２０、２２に各スプロケット４２、４４、４６、４８、５２、５４、５６、５８やモータ６２、センサ６４を取り付けているので、床下収納装置１０を設置する工事が容易となる。
【００２３】
紐状部材３４のうちスプロケット４２、４４の間の途中部分３４ａ（この間のみを移動する部分）は、載置台３２の隅に固定されている。同様に、紐状部材３６のうちスプロケット５２、５４の間の途中部分３６ａ（この間のみを移動する部分）は、載置台３２の隅に固定されている。また、紐状部材３４のうちスプロケット４８に掛け渡された端部３４ｂは載置台３２の隅に固定されている。同様に、紐状部材３６のうちスプロケット５８に掛け渡された端部３６ｂは載置台３２の隅に固定されている。これら２つの途中部分３４ａ、３６ａと２つの端部３４ｂ、３６ｂの高さは常に同じであるようになっている。
【００２４】
床下に位置する載置台３２を床まで上げたいときは、図３に示すように、回転軸６０が矢印Ｃ方向に回転するようにモータ６２を駆動させる。この駆動によって２つの途中部分３４ａ、３６ａと２つの端部３４ｂ、３６ｂは同じ高さを保ちながら上昇し、この上昇に伴って載置台３２も上昇する。載置台３２が床とほぼ同じ高さまで上昇したときに、検出センサ６４が載置台３２を検出してモータ６２の駆動が停止するように構成されている。また、床とほぼ同じ高さに上がった載置台３２を床下まで降ろすときは、図３に示す矢印Ｃ方向とは反対の方向に回転軸６０が回転するようにモータ６２を駆動させる。この駆動によって２つの途中部分３４ａ、３６ａと２つの端部３４ｂ、３６ｂは同じ高さを保ちながら下降し、この下降に伴って載置台３２も下降する。載置台３２が床下まで下降したときはモータ６２の駆動が停止するように構成されている。このように、載置台３２をモータ６２によって昇降させて床とほぼ同じ位置にある収納容器１１（または１２、１３、１４のいずれか）から収納物を出し入れできるので、容易に出し入れ作業を行える。なお、紐上部材３４、３６としては、チェーンに代えてワイヤなどを用いてもよく、この場合は、スプロケットに代えてローラを用いる。紐状部材３４、３６としていずれを用いても、モータ６２が停止しているときは紐状部材３４、３６も動かないようにしておく（即ち、載置台３２が昇降しないようにしておく）。また、載置台３２が昇降する際のふらつきを防止するために、載置台３２の四隅を上下方向に案内するガイド柱を配置してもよい。
【００２５】
図４を参照して、床下収納装置の他の例を説明する。
【００２６】
図４は、床下収納装置の他の例を示す上面図であり床などは示していない。
【００２７】
上記した例では、４つの収納容器１１、１２、１３、１４を備えた床下収納装置１０を挙げたが、図４に示すように３つの収納容器１０１、１０２、１０３を備えた床下収納装置１００にしても良い。このような床下収納装置１００は、壁１１０に近い場所に設置するのに好適である。この場合、互いに直交するガイド溝１６、１８（図１参照）に代えて、Ｔ字状のガイド溝を形成しておく。また、Ｔの交わる位置に配置する昇降機構は、昇降機構３０と同じものとする。
【図面の簡単な説明】
【００２８】
【図１】（ａ）は、４つの収納容器を示す上面図であり床などは示しておらず、（ｂ）は、（ａ）の斜視図である。
【図２】昇降機構を示す斜視図である。
【図３】載置台が昇降している状態を示す側面図である。
【図４】床下収納装置の他の例を示す上面図であり床などは示していない。
【符号の説明】
【００２９】
１０、１００  床下収納装置
１１、１２、１３、１４、１０１、１０２、１０３  収納容器
１９  交差部分
２０、２２  根太
３０  昇降機構
３２  載置台
３４、３６  紐状部材
４０  駆動ユニット
６２  モータ
【図１】
2008266914.tif 000003
【図２】
2008266914.tif 000004
【図３】
2008266914.tif 000005
【図４】
2008266914.tif 000006